(57)【要約】      （修正有）【課題】顧客にとって柄好みの選択余地が多くなるばかりでなく、しかも、秘密に着用できるために、心に込めてやる気や癒しの心が却って生じやすい上着用の秘密装飾を提供する。【解決手段】表生地により縫製され裏生地を有する上着の内側に縫い合わせまたは粘着等の手段で内張りすることのできる布や紙等のシートからなり、そのシートに絵模様や座右の銘等、モチベーションが高まる表示を色彩で表した。その装飾を表す素材がシートであるために、最初から上着の裏生地に装飾が施されている場合とは違って格段にコスト安となり、顧客が好みの意匠で手頃に上着を着こなすことができ、文字通り「私だけの愛一着」となることはもちろん、その秘密装飾を顧客のみがイメージして内に秘めて再現することになるので、装飾を見せびらかす場合よりも、やるぞというモチベーションの高まりがことさら得られる。【選択図】図１
0003142938.tif 000002
【実用新案登録請求の範囲】
【請求項１】
表生地により縫製され裏生地を有する上着の内側に縫い合わせまたは粘着等の手段で内張りすることのできる布や紙等のシートからなり、そのシートに絵模様や座右の銘等、モチベーションが高まる表示を色彩で表したことを特徴とする上着用の秘密装飾。
【考案の詳細な説明】
【技術分野】
【０００１】
この考案は、スーツ、コート等のようにいちばん外に着る上着の内側に、部分的に内張りする上着用の秘密装飾に関する。
【背景技術】
【０００２】
スーツやコート等の男女の上着は表生地で仕立てられ、一般的にその内側に裏生地が全体的にあるいは一部を残してほゞ全面に縫着されている。従来、裏生地は何の装飾もない無地であることが多く、若干の縞模様的な裏生地が見受けられる程度であった。まして、絵模様や座右の銘等、モチベーションが高まる表示を色彩で表したものはなかった。
【０００３】
上着の内側がこのように無地で装飾性に乏しかった理由は、内側は外からは見えないために装飾をすることに意味がなく、単にコスト高となるだけであるからである。また、上着の販売の点についてみると、顧客の柄好みが表生地と裏生地との両方になり、それだけ選択範囲が多くなり、品数をそれだけ多様に揃えることになる不利があったからと考えられる。
【考案の開示】
【考案が解決しようとする課題】
【０００４】
そこで、従来、生産者は、柄の上着であっても、一般大衆が最も選びやすい無難な柄の表生地で製造し、裏生地には無地または無地に等しい生地を使用していたから、顧客としては、柄を選ぶ選択が特徴のない表生地だけの範囲に狭くなり、好みのものがないために個性的に着こなすことができなかった。しかしながら、好みの柄は、その人固有のものであって、好みの柄によってはやる気や癒しを感じてモチベーションが高まる等、人生において得難い効果を発揮するものであることは見逃すことはできない。
【０００５】
この考案は、上記のような実情に鑑みて、多種多様な絵柄の選択が可能であるにもかかわらずコスト高となることはないので、顧客にとって柄好みの選択余地が多くなるばかりでなく、しかも、秘密に着用できるために、心に込めてやる気や癒しの心が却って生じやすい上着用の秘密装飾を提供することを課題とした。
【課題を解決するための手段】
【０００６】
上記の課題を解決するために、この考案は、表生地により縫製され裏生地を有する上着の内側に縫い合わせまたは粘着等の手段で内張りすることのできる布や紙等のシートからなり、そのシートに絵模様や座右の銘等、モチベーションが高まる表示を色彩で表したことを特徴とする上着用の秘密装飾を提供するものである。
【考案の効果】
【０００７】
上着用の秘密装飾を上記のような構成したから、顧客が着用する上着に、顧客または販売店においてその秘密装飾を装着するものであって、その装飾を表す素材がシートであるために、最初から上着の裏生地に装飾が施されている場合とは違って格段にコスト安となり、顧客が好みの意匠で手頃に上着を着こなすことができ、文字通り「私だけの愛一着」となることはもちろん、その秘密装飾を顧客のみがイメージして内に秘めて再現することになるので、装飾を見せびらかす場合よりも、やるぞというモチベーションの高まりがことさら得られるという優れた効果がある。
【考案を実施するための最良の形態】
【０００８】
この考案において、上着とは、普通にいうスーツやコートばかりでなく、上着として着用するものを広くいうものとし、また、シートとは、布や紙の他に皮膚に柔らかく当たる樹脂シート、皮革等であって、また、着色ないし印刷が可能な素材をいうものとする。そして、この考案によれば、次のような実施形態となる。
【０００９】
まず、秘密装飾の制作については、幾つかのコースが考えられる。例えば、上着を販売する店において、多種類の秘密装飾を揃えたおき、顧客にそのうちから選択してもらうことができる選択コースのほか、大小や形が異なる白紙のシートを揃えておき、顧客に絵模様等のイメージを提供させ、好みのシートに専門家に描かせるお任せコースである。なお、この場合は、影響として、「絵師」等、図柄を制作する専門業者等の活躍の場が用意される。その外に顧客自身に描かせる独創コースやセット販売コース等も考えられる。
【００１０】
座右の銘１３等のモチベーションを高める表示としては、「努力」、「精進」、「禁酒」、「質実剛健」等の一般的なものの他に、着用者の独創による独特の言葉であっても表示が可能である。
【００１１】
そこで、この考案の上着用の秘密装飾によれば次の如くに実現する。
【００１２】
１．上着の表生地の色合いが同じであっても、裏生地の趣で「世界にたった一つの上着」、「個性化を極めブランド商品に匹敵する上着」とすることができ、顧客満足度が高まることが期待できる。
【００１３】
２．きらびやかに人様に見せるお洒落でなく、秘めた大人の粋なお洒落で、本当のお洒落で、本当のお洒落の喜びを味わうことが期待できる。
【００１４】
３．顧客の絵柄等の選択は、大方において生半可な選択ではなく、「信ずる」ところから来るものが多くなることが想定され、勢いスーツやコート等が大事にされることの他に、顧客が選択した「信念の絵柄」を着用することによる精神的な引き締まり又は高揚（モチベーション）が期待でき、結果良い仕事、つまり行い、行動に通じて良い実りに通じるものと確信する。
【００１５】
４．仕立ての注文上着、ぶら下がりの既成上着のいずれであっても、この裏生地を装飾することにより得られる「世界にたった一つのスーツ、私だけのスーツ」という「顧客満足度の希望する様々な分野のものが提供できる。文字通り「私だけの愛一着」となる。
【実施例】
【００１６】
次に、この考案の実施例を図面に基づいて説明するが、上記の如くであって、下記の実施例に限定されないことはいうまでもない。
【００１７】
図１および図２は一実施例を示し、この場合、上着１は、コート（又はスーツ）であって、それは表生地３により仕立てられているが、その内側には無地の裏生地５が縫着されている。そして、背中当たりに秘密装飾Ｐが部分的に糸で縫い付けてある。
【００１８】
秘密装飾Ｐは、布としてのシート２に絵模様１１と座右の銘１３とを併記したもので、絵模様１１については、ダルマさんの回りをねずみが戯れている様子が赤、黄、ねずみ等の色彩で表現され、また、座右の銘１３については、「七転び八起き」という教訓となる諺であるので、この場合であると、ねずみ年である今年の決意を背に負って毎日を励んで行くというような動機に適している。
【００１９】
図３は、他の秘密装飾Ｐの例を示したもので、千手観音の図が絵模様１１として描かれ、その上に「慈悲」という座右の銘１３が表記される。千手観音は、多くの手ですべての生き物を救うとされる慈悲深い観音様であって、ねずみ年生まれの守り本尊でもあるが、これを背中にイメージすることにより、人を助けるというモチベーションが高まり、結果的に良い実りが得られる。なお、守り本尊としてはこの他に、例えば大日如来（ひつじ歳、さる歳）、勢至菩薩（うま歳）、普賢菩薩（たつ歳、巳歳）等があり干支との関係で守り本尊が異なってくる。
【００２０】
図４は、お印とも言える絵模様１１の連続である。これも上着１の背中当たりに取り付けても良いが、例えば、前見頃の開き内側（図１の二点鎖線の部分１０）に取り付けておくと、普段は隠れて他人には見えないが、例えば立ち上がった時の動作というように何かの拍子に相手にちらっと見え隠れすることにより、着用者の意外な側面を相手が垣間見ることになって、微笑ましく感じるとともに、粋な人だと人柄を再発見する機会ともなる。
【図面の簡単な説明】
【００２１】
【図１】この考案の一実施例を示す上着用の秘密装飾の使用状態であって、上着を半開きすることによりそれを示す前から見た斜視図である。
【図２】同上着用の秘密装飾を示す平面図である。
【図３】他の実施例を示す上着用の秘密装飾の平面図である。
【図４】さらに他の実施例を示す上着用の秘密装飾の平面図である。
【符号の説明】
【００２２】
Ｐ  上着用の秘密装飾
１  上着
２  シート
３  表生地
５  裏生地
１１  モチベーションが高まる表示としての絵模様
１３  モチベーションが高まる表示としての座右の銘
【図１】
0003142938.tif 000003
【図２】
0003142938.tif 000004
【図３】
0003142938.tif 000005
【図４】
0003142938.tif 000006